(57)【要約】 【課題】  はずみ車で有効に蓄力出来ない単三又は単二電池程度の直径の円筒状手回し発電機に於いて、はずみ車を用い事なく、有効に蓄力して効率よく発電する手回し発電機を可能にする蓄力機構を実現する。【解決手段】  円筒体の回転に伴い、この円筒体の周面に設けた軌条に沿って錘が往復する事により、回転運動が往復運動に変換され、且つ往復運動が回転運動に変換される事により手回し力を蓄力する。【選択図】      図１
2007318865.tif 000002
【特許請求の範囲】
【請求項１】
円筒状回転体の回転に伴って、錘が円筒方向に往復して、この往復慣性力を蓄力する機構であって、円筒状回転体の回転力を錘の往復運動変換し、且つ錘の往復運動を円筒状回転体の回転に変換する手段を有する蓄力機構
【請求項２】
平面展開した状態に於いてはほぼ正弦波曲線状である軌道をこの円筒状回転体の側周面に設け、これに沿って、褶動体を有する錘が褶動運動して、この錘は往復し、この往復運動により円筒状回転体は回転して、回転力と往復力とが変換される請求項１記載の蓄力機構
【請求項３】
ワンウエイクラッチを具備するリコイルスターターを装着してなる請求項１及び請求項２記載の蓄力機構
【発明の詳細な説明】
【技術分野】
【０００１】
本発明は回転力を錘の往復運動に変換し、この往復慣性力を蓄力し回転力に再変換し利用するものであり、弾み車ではサイズ的に効率的に利用できない様な、例えば電池サイズの円柱形状の、手回しにより発電する発電機（以下手回し発電機と称す）に使用する。
【背景技術】
【０００２】
近年に於いては、手回し発電機を具備したパソコンが登場していて、電子機器に手回し発電機を組み込む事が多くなっていて、これを効率良く使いやすくすることが望まれている。
【０００３】
発電機を効率的に手回しさせるためには、はずみ車を使用してこの回転力を蓄力するが一般的であり、弾み車の直径が大きいほど慣性力が大きく効率的である。
【０００４】
一方、手回し発電機に於いては、より小さな蓄力方式が求められる。
【０００５】
例えばノートパソコンの手回し発電機では単三電池サイズの円筒形が妥当であると考えられるが、これに弾み車を利用するには、直径が大きく取れないので効率的に蓄力できない。
【発明の開示】
【発明が解決しようとする課題】
【０００６】
本発明は、手回し発電機に於いて、ノートパソコン等の電子機器に取り付けて使用する直径が比較的小さくて円筒形である手回し発電機の蓄力機構を実現するものである。
【課題を解決するための手段】
【０００７】
円筒形の回転体の回転力を、円筒方向の往復力に変換してこの往復慣性力を蓄力する。
つまり、弾み車の回転で蓄力するのではなく、錘の往復慣性力を蓄力するのである。
【発明の効果】
【０００８】
これにより、例えばパソコンに使用する際には、単三電池サイズで円筒形にしてヒンジ部に取り付ける事が出来る。  図７は本発明を蓄電池６００と共にケーシング５００してノートパソコンのヒンジ部に取り付けた図である。また、単に往復力を回転力に変換することも可能であるので、図８に示す様に、腕や足に取り付けて歩行時の四肢の往復力を回転に変換して発電する事が出来るので、ウェアアラブルコンピュータの電源にも適する。
【発明を実施するための最良の形態】
【０００９】
以下図を使って実施例について説明する。
図１は、説明のために内部構造が見やすい様に、回転体１００が半透明である（図面上では点描で薄く塗りつぶしている）本発明の原理図である。
この円筒状である回転体１００の回転により、軌道溝１１０沿って、摺動体２１０が摺動しこれに伴い錘２００が往復し、この往復慣性力を蓄力するのである。
【００１０】
図２以下は手廻し動力源としてワンウエイクラッチ付きリコイルスターター５００を取り付けた実施例の図で、回転体１００の一部を切り取った本発明の斜視図である。円筒形状のこの回転体１００はローラー回転支持軸３１０で回転自在に支承されていて、軌道溝１１０が設けられたこの内壁に沿って、摺動体２１０が摺動しこれ伴って錘２００が往復する際、回転力が往復力に変換され、この往復慣性力を蓄力するのである
【００１１】
蓄力した往復慣性力を回転力に変換するには、錘２００の摺動体２１が軌道溝１１０を摺動移動する際、これ伴って回転体１００が回転するのである。
【００１２】
回転体１００には内周面に軌道溝１１０が形成されている。この軌道溝１１０の形状は図２に示すように平面に展開した状態に於いてほぼ正弦波曲線、又は余弦正弦波曲線であり、これを丸めれば、この回転体１００を斜めに横断する内周軌道となるのであり、これに嵌入した摺動部２１５がこれに沿って摺動移動して、これにより錘２００が往復する。
【００１３】
図２〜図５は断面図であるが、これを用いて回転力と往復力とが変換される経緯について説明する。
【００１４】
図３に於いて、錘は往復ストロークのほぼ中間点に位置している。この状態から、図４に示す様に、回転体１００がほぼ１／４回転すると、錘２００もこれにつれて回転しようとするが、回転阻止棒３５０により錘に伝わるべき回転が阻止されるので、この錘に取り付けた摺動体２１０が軌道溝１１０の側壁に押し付けられ、これに沿って摺動移動し錘が上死点に向かって上昇する。  言わば、螺子の原理で、回転エネルギーが軌道に沿って摺動移動する上昇エネルギーに変換されるのである。
【００１５】
摺動体２１０と軌道溝１１０とは接触し摺動するので、この構造はローラー等にして、摩擦によるエネルギーロスを防ぎスムーズに摺動させる事が肝要である。
【００１６】
図５は回転体１００が更に１／４回転し上死点から下降している図であるが、上記説明と同じ経緯で摺動体２１０が軌道溝１１０に沿って摺動移動し下降する。
【００１７】
図６は回転体１００が更に１／４回転し下死点に達した図である。
上記を繰り返し、回転運動は往復運動に変換される。
そして、回転体１００に回転力が付与されなくなると、錘２００は慣性力で往復運動を継続するのだが、この際に摺動体２１０が軌道溝１１０の側壁を押圧し、この圧力が回転体１００に回転力を与える。
【００１８】
つまり回転体１００に回転力が付与されなった時点で、錘２００の往復慣性力が回転力に変換されて、回転体１００の回転を継続させるのである。
【００１９】
上記説明した様に回転力を錘の往復力に変換し、この往復力を利用することにより、はずみ車が有効に使用できない、小さな直径の回転体でも効率的に蓄力する事が可能になるのである。
【図面の簡単な説明】
【００２０】
【図１】回転体の一部を切り取った斜視図
【図２】リコイルスターターを取り付けた斜視図
【図３】ａ―ａ‘断面図
【図４】図２から１／４回転した断面図
【図５】図２から２／４回転した断面図
【図６】図２から３／４回転した断面図
【図７】パソコンのヒンジ部に本発明を取り付けた図
【図８】本発明を腕と脚に取り付けた
【符号の説明】
【００２１】
１００  回転体    
１１０  軌道溝   
２００  錘
２１０  摺動体 
３１０  回転支持枠
３１５  回転ローラー  
３５０  回転阻止棒
４００  発電機
５００  リコイルスターター    
５１０  ストラップ
５２０  グリップ
６００  取り付けバンド
７００  ケーシングした本発明  
Ｂ      蓄電池
Ｎ      ノートパソコン
【図１】
2007318865.tif 000003
【図２】
2007318865.tif 000004
【図３】
2007318865.tif 000005
【図４】
2007318865.tif 000006
【図５】
2007318865.tif 000007
【図６】
2007318865.tif 000008
【図７】
2007318865.tif 000009
【図８】
2007318865.tif 000010